(57)【要約】【課題】データ電極を、少なくとも２つのデータ電極群に分けて、駆動を走査電極に近い側から先に順次行うと共に走査電極と遠い側のデータ電圧を上げることにより、安定な書込み放電を実現し、もって、表示ミスの少ない安定した大型で高精細のプラズマディスプレイ装置を提供すること。【解決手段】１つの基板上に形成された維持電極と走査電極からなる維持電極対が誘電体で被覆され、前記誘電体上に保護膜が形成され、もう１つの基板上に表示セル選択のためのデータ電極とこれを被覆する誘電体及び隔壁、蛍光体層が形成され、前記維持電極対の長さが３ｍを越えるプラズマディスプレイパネル５０を用いたプラズマディスプレイ装置であって、データ電極Ｄを二つ以上のデータ電極群に分割して駆動する駆動回路４４を具備し、前記駆動回路４４により、前記走査電極ＳＣの引出部に近い方のアドレス電極群からアドレス電圧を順次印加することを特徴とする。【選択図】図３
2010107634.tif 000002
【特許請求の範囲】
【請求項１】
１つの基板上に形成された維持電極と走査電極からなる維持電極対が誘電体で被覆され、前記誘電体上に保護膜が形成され、もう１つの基板上に表示セル選択のためのデータ電極とこれを被覆する誘電体及び隔壁、蛍光体層が形成され、前記維持電極対の長さが３ｍを越えるプラズマディスプレイパネルを用いたプラズマディスプレイ装置であって、データ電極を二つ以上のデータ電極群に分割して駆動する駆動回路を具備し、前記駆動回路により、前記走査電極の引出部に近い方のアドレス電極群からアドレス電圧を順次印加することを特徴とするプラズマディスプレイ装置。
【請求項２】
１つの基板上に形成された維持電極と走査電極からなる維持電極対が誘電体で被覆され、前記誘電体上に保護膜が形成され、もう１つの基板上に表示セル選択のためのデータ電極とこれを被覆する誘電体及び隔壁、蛍光体層が形成され、前記維持電極対の長さが３ｍを越えるプラズマディスプレイパネルを用いたプラズマディスプレイ装置であって、データ電極を二つ以上のデータ電極群に分割して駆動する駆動回路を具備し、前記駆動回路により、前記走査電極の引出部から遠い方のアドレス電極群に印加するアドレス電圧の方が高くなるように設定したことを特徴とするプラズマディスプレイ装置。
【請求項３】
走査電極の引出部から遠い方のアドレス電極群に印加するアドレス電圧の方が高くなるように設定したことを特徴とする請求項１記載のプラズマディスプレイ装置。
【発明の詳細な説明】
【技術分野】
【０００１】
本発明は、プラズマディスプレイパネル（以下、ＰＤＰと示す）を表示デバイスとして用いたプラズマディスプレイ装置に関するものである。
【背景技術】
【０００２】
交流面放電型のＰＤＰは、走査電極および維持電極からなる表示電極を複数形成した前面基板と、その表示電極に直交するようにデータ電極を複数形成した背面基板とを、基板間に放電空間を形成するように対向配置して周囲を封着し、放電空間にネオンおよびキセノンなどの放電ガスを封入して構成されており、表示電極は誘電体層で覆われ、この誘電体層上には保護膜が形成されている。
【０００３】
このような構成のＰＤＰにおいては、ガス放電により紫外線を発生させ、この紫外線で背面基板上に設けられた赤色（Ｒ）、緑色（Ｇ）および青色（Ｂ）の各色の蛍光体を励起して発光させることによりカラー表示を行っている。
【０００４】
ＰＤＰは、１フィールド期間を複数のサブフィールドに分割し、発光させるサブフィールドの組み合わせによって駆動し階調表示を行う。各サブフィールドは初期化期間、書込み期間および維持期間からなる。画像データを表示するためには、初期化期間、書込み期間および維持期間でそれぞれ異なる信号波形を各電極に印加している。
【０００５】
特に、書込み期間では、走査電極に順次、走査電圧から負のパルスを印加すると共に、該当セルの階調データに基づいてデータ電極にデータ電圧を印加することで、微弱な書込み放電を発生させ、前面板保護層表面に壁電荷を蓄積させる。維持期間では、壁電荷蓄積のあるセルのみ発光する範囲の維持電圧を印加することで、書込み放電を行ったセルのみで維持放電が発生し、所望の画像を表示することができる。
【０００６】
この際に、書込み放電は１ライン毎に順次行うため、ほぼ同じタイミングで書込み放電が発生し、走査電圧を印加するためのドライバー（スキャンドライバー）に書込み放電のための電流が流れ、電圧降下が起こると共に、ドライバー破壊に繋がるなどの問題があった。
【０００７】
このための対策として、ＰＤＰでは、データ電極を少なくとも２つ以上のデータ電極群に分割し、書込み期間におけるデータ電圧印加タイミングに時間差を設ける技術が提案されている（例えば、特許文献１参照）。また、連続して点灯する場合にはデータ電圧をグランドレベルまで落とさず電圧降下を途中で止めて再び規定値まで上昇させる方法などが提案されている（例えば、特許文献２参照）。
【特許文献１】特開平８−３０５３１９号公報
【特許文献２】特開２００５−４９８２３号公報
【発明の開示】
【発明が解決しようとする課題】
【０００８】
しかしながら、ＰＤＰの高精細化に伴うセル数の増加により、放電電流は更に大きくなり、また、さらなる大型化に伴ってライン抵抗が増加するのみならず、走査電極自身のもつインダクタンスも大きくなるため、特に、走査電極と反対側の端部に近づくに連れてパルスの立ち上がりが鈍ると共に、電圧降下が大きくなる傾向にあるため、パルス印加より書込み放電の立ち上がりが更に遅れる傾向にある。このため、書込み放電がパルス印加時間内に適切に終了せず、壁電荷が想定している量よりも少なくなり、結果として走査電圧を深くする或いはデータ電圧を高くする等の対策を実施しなければ表示不良に結び付くこととなる。電圧の上昇は消費電力の上昇及び回路素子の大容量化につながり、すべてコストアップに結び付く要因となってしまう。
【０００９】
本発明はこのような現状に鑑みなされたもので、データ電極を、少なくとも２つのデータ電極群に分けて、駆動を走査電極に近い側から先に順次行うと共に走査電極と遠い側のデータ電圧を上げることにより、安定な書込み放電を実現し、もって、表示ミスの少ない安定した大型で高精細のプラズマディスプレイ装置を提供することを目的とする。
【課題を解決するための手段】
【００１０】
上記目的を達成するために本発明のプラズマディスプレイ装置は、１つの基板上に形成された維持電極と走査電極からなる維持電極対が誘電体で被覆され、前記誘電体上に保護膜が形成され、もう１つの基板上に表示セル選択のためのデータ電極とこれを被覆する誘電体及び隔壁、蛍光体層が形成され、前記維持電極対の長さが３ｍを越えるプラズマディスプレイパネルを用いたプラズマディスプレイ装置であって、データ電極を二つ以上のデータ電極群に分割して駆動する駆動回路を具備し、前記駆動回路により、前記走査電極の引出部に近い方のアドレス電極群からアドレス電圧を順次印加することを特徴とするものであり、さらに、走査電極の引出部から遠い方のアドレス電極群に印加するアドレス電圧の方が高くなるように設定したことを特徴とするものである。
【００１１】
また、上記目的を達成するために本発明のプラズマディスプレイ装置は、１つの基板上に形成された維持電極と走査電極からなる維持電極対が誘電体で被覆され、前記誘電体上に保護膜が形成され、もう１つの基板上に表示セル選択のためのデータ電極とこれを被覆する誘電体及び隔壁、蛍光体層が形成され、前記維持電極対の長さが３ｍを越えるプラズマディスプレイパネルを用いたプラズマディスプレイ装置であって、データ電極を二つ以上のデータ電極群に分割して駆動する駆動回路を具備し、前記駆動回路により、前記走査電極の引出部から遠い方のアドレス電極群に印加するアドレス電圧の方が高くなるように設定したことを特徴とするものである。
【発明の効果】
【００１２】
本発明によれば、データ電極を、少なくとも２つのデータ電極群に分けて、駆動を走査電極に近い側から先に順次行うと共に走査電極と遠い側のデータ電圧を上げることにより、安定な書込み放電が実現でき、もって、表示ミスの少ない安定した大型で高精細のプラズマディスプレイ装置を提供することができる。
【発明を実施するための最良の形態】
【００１３】
以下、本発明の一実施の形態について、図面を参照しながら説明するが、本発明の実施の態様はこれに限定されるものではない。
【００１４】
尚、本発明の実施の形態では、走査電極の長さが３ｍ以上で、およそ１３５型以上（例えば１５０型）のＰＤＰを対象とする。
【００１５】
図１は、本発明の一実施の形態によるプラズマディスプレイ装置における交流面放電型のＰＤＰの概略構成を示す部分斜視図である。
【００１６】
ＰＤＰは、各電極にパルス状の電圧を印加することで放電を放電空間３０内で生じさせ、放電に伴って背面パネルＰＡ２側で発生した各色の可視光を、前面パネルＰＡ１の主表面から透過させる交流面放電型ＰＤＰである。ここで、放電空間には、例えばネオン（Ｎｅ）とキセノン（Ｘｅ）の混合ガスが放電ガスとして封入されている。
【００１７】
前面パネルＰＡ１は、走査電極１２ａと維持電極１２ｂとがストライプ状に複数対配設（図では便宜上１対を記載してある）された前面ガラス基板１１上に、表面１１ａを覆うように誘電体ガラス層１３が形成されている。更に、この誘電体ガラス層１３を覆うように保護膜１４が形成されている。
【００１８】
背面パネルＰＡ２の構造は、次に示すものである。データ電極１７は、背面ガラス基板１６上にあり、走査電極１２ａと維持電極１２ｂと直交するようにストライプ状に配されている。また電極保護膜１８は、データ電極１７を覆うように形成され、データ電極１７を保護し、可視光を前面パネル側に反射する作用を担う。この電極保護膜１８上にデータ電極１７と同じ方向に向けて伸び、データ電極１７を挟むように隔壁１９が立設され、隔壁１９間に蛍光体層２０が配されている。
【００１９】
１対の走査電極１２ａおよび維持電極１２ｂは１つのラインを構成し、これらとデータ電極１７とが交差する部分にセルが形成される。各セルの放電空間３０内で放電を発生させ、放電に伴って蛍光体層２０から発生する赤、緑、青の３色の可視光が、前面パネルＰＡ１を透過することにより、表示が行われる。
【００２０】
図２は、本発明の一実施の形態によるプラズマディスプレイ装置におけるＰＤＰの電極配列図を模式的に示す図である。行方向にｎ行の走査電極ＳＣ１〜ＳＣｎ（図１の走査電極１２ａ）とｎ行の維持電極ＳＵ１〜ＳＵｎ（図１の維持電極１２ｂ）とが交互に配列され、列方向には（ｋ＋ｍ）列のデータ電極Ｄ１１〜Ｄ１ｋ、Ｄ２１〜Ｄ２ｍ（図１のデータ電極１７）が配列されている。そして、一対の走査電極ＳＣｉ、維持電極ＳＵｉ（ｉ＝１〜ｎ）と１つのデータ電極Ｄｊ（Ｄｊ＝Ｄ１１〜Ｄ１ｋ、Ｄ２１〜Ｄ２ｍ）とを含む放電セルＣｉ，ｊが放電空間内に形成され、放電セルＣの総数は（（ｋ＋ｍ）×ｎ）個になる。
【００２１】
図３は、本発明の一実施の形態によるプラズマディスプレイ装置の概略構成を示す回路ブロック図である。図３に示すように、本発明の一実施の形態によるプラズマディスプレイ装置は、ＡＤコンバータ４１、映像信号処理回路４２、サブフィールド処理回路４３、データ電極駆動回路４４、走査電極駆動回路４５、維持電極駆動回路４６、ＰＤＰ５０を備えている。
【００２２】
ＡＤコンバータ４１は、入力されたアナログの映像信号をデジタルの映像信号に変換する。映像信号処理回路４２は、入力されたデジタルの映像信号を発光期間の重みの異なる複数のサブフィールドの組み合わせによってＰＤＰ５０に発光表示させるため、１フィールドの映像信号から各サブフィールドの制御を行うサブフィールドデータに変換する。サブフィールド処理回路４３は、映像信号処理回路４２で作成されたサブフィールドデータからデータ電極駆動回路用制御信号、走査電極駆動回路用制御信号および維持電極駆動回路用制御信号を生成し、データ電極駆動回路４４、走査電極駆動回路４５、維持電極駆動回路４６へそれぞれ出力する。
【００２３】
ＰＤＰ５０は、上述したとおり、行方向にｎ行の走査電極ＳＣ１〜ＳＣｎ（図１の走査電極１２ａ）とｎ行の維持電極ＳＵ１〜ＳＵｎ（図１の維持電極１２ｂ）とが交互に配列され、列方向に（ｋ＋ｍ）列のデータ電極Ｄ１１〜Ｄ１ｋ、Ｄ２１〜Ｄ２ｍ（図１のデータ電極１７）が配列されている。そして、一対の走査電極ＳＣｉ、維持電極ＳＵｉ（ｉ＝１〜ｎ）と１つのデータ電極Ｄｊ（Ｄｊ＝Ｄ１１〜Ｄ１ｋ、Ｄ２１〜Ｄ２ｍ）とを含む放電セルＣｉ，ｊが放電空間内に（（ｋ＋ｍ）×ｎ）個形成され、赤色、緑色および青色の各色に発光する３つの放電セルにより１つの画素が構成される。
【００２４】
また、走査電極ＳＣ１〜ＳＣｎ、維持電極ＳＵ１〜ＳＵｎ、データ電極Ｄｊは、それぞれ駆動電圧を印加するための引き出し線を有している。走査電極ＳＣ１〜ＳＣｎのそれぞれに電気的に接続された走査電極引き出し線（図示せず）は、ＰＤＰ５０の四辺のうちデータ電極Ｄｊに平行な二辺のうちの一方の辺から引き出され、走査電極ＳＣ１〜ＳＣｎを駆動する駆動電圧が印加される。維持電極ＳＵ１〜ＳＵｎのそれぞれに電気的に接続された維持電極引き出し線（図示せず）は、ＰＤＰ５０の四辺のうちデータ電極Ｄｊに平行な二辺のうちの他方の辺から引き出され、維持電極ＳＵ１〜ＳＵｎを駆動する駆動電圧が印加される。データ電極Ｄ１１〜Ｄ１ｋ、Ｄ２１〜Ｄ２ｍのそれぞれに電気的に接続されたデータ電極引き出し線（図示せず）は、ＰＤＰ５０の四辺のうち走査電極ＳＣｉおよび維持電極ＳＵｉに平行な二辺のうちの一方の辺から引き出され、データ電極Ｄ１１〜Ｄ１ｋ、Ｄ２１〜Ｄ２ｍを駆動する駆動電圧が印加される。
【００２５】
データ電極駆動回路４４は、ＰＤＰ５０の四辺のうちデータ電極引き出し線が引き出されている一辺に近接して配置されている。そして、データ電極引き出し線に電気的に接続され、各データ電極Ｄｊをそれぞれ独立して駆動することができる第１駆動回路、第２駆動回路を内部に備え、データ電極駆動回路用制御信号にもとづいて各データ電極Ｄｊを独立して駆動する。
【００２６】
このとき、第１駆動回路は、走査電極駆動回路４５に近い方のデータ電極群であるデータ電極Ｄ１１〜Ｄ１ｋを駆動し、第２駆動回路は、走査電極駆動回路４５から遠い方のデータ電極群であるデータ電極Ｄ２１〜Ｄ２ｍを駆動する。そして、書込み動作において、第２駆動回路は、第１駆動回路によるデータ電極Ｄ１１〜Ｄ１ｋへの書込みパルス電圧の印加から時間Ｔの後にデータ電極Ｄ２１〜Ｄ２ｍへ書込みパルス電圧を印加する。
【００２７】
維持電極駆動回路４６は、ＰＤＰ５０の四辺のうち維持電極引き出し線が引き出されている一辺に近接して配置されている。そして、維持電極引き出し線に電気的に接続され、ＰＤＰ５０の全ての維持電極ＳＵ１〜ＳＵｎをまとめて駆動することができる駆動回路を内部に備え、維持電極駆動回路用制御信号にもとづいて維持電極ＳＵ１〜ＳＵｎを駆動する。走査電極駆動回路４５は、ＰＤＰ５０の四辺のうち走査電極引き出し線が引き出されている一辺に近接して配置されている。そして、走査電極引き出し線に電気的に接続され、各走査電極ＳＣ１〜ＳＣｎをそれぞれ独立して駆動することができる駆動回路を内部に備え、走査電極駆動回路用制御信号にもとづいて各走査電極ＳＣ１〜ＳＣｎを独立して駆動する。
【００２８】
次に、本発明の一実施の形態によるプラズマディスプレイ装置における書込み期間について、以下、説明する。なお、それ以外の期間については、例えば特許文献２に示されているような基本動作により対応している。
【００２９】
図４は、本発明の一実施の形態によるプラズマディスプレイ装置におけるＰＤＰの各電極へ印加する電圧波形を概略的に示す図である。ここでは、各サブフィールドとも構成は同じであるため、一つのサブフィールドのみを取り上げて記載している。
【００３０】
まず、微弱な初期化放電により走査電極ＳＣ１〜ＳＣｎ上に負の壁電圧が、データ電極Ｄ１１〜Ｄ１ｋ、Ｄ２１〜Ｄ２ｍ上及び維持電極ＳＵ１〜ＳＵｎ上に正の壁電圧が蓄積される。この際、各壁電荷は、放電開始をしない上限近くの値のみ残存していると考えられる。
【００３１】
この状態で、走査電極ＳＣ１〜ＳＣｎを電圧Ｖｓｃで保持し、放電セルＣｉ，ｊ（ｉは１〜ｎの整数、ｊは１〜ｋ＋ｍの整数）の書込み動作では、走査電極ＳＣｉに走査パルス電圧Ｖａを印加すると共に、データ電極Ｄ１〜Ｄｋ＋ｍのうち該当サブフィールドの表示すべき映像信号に対応するデータ電極Ｄｊに正の書込みパルスを印加する。
【００３２】
このとき、データ電極Ｄ１〜Ｄｋとデータ電極Ｄｋ＋１〜Ｄｋ＋ｍとは独立して駆動できるようにしているため、各々、電圧Ｖｄ１及びＶｄ２を印加し、また、印加するタイミングに時間差を設ける事も可能な機能を具備している。もちろん、タイミングはどちらから先に実施しても良いし、また、その時間差も適宜選択しても良い。また、独立した電圧Ｖｄ１とＶｄ２は異なっても良いし、同じでも良い機能を具備している装置で最適な選択肢を提示する。
【００３３】
走査電極ＳＣｉへの走査電圧印加は該当電極に接続された走査電極駆動回路４５から行われるため、走査電極ＳＣｉ上の走査電極駆動回路４５から各データ電極との放電が起こる領域までの容量成分や自己インダクタンス、金属電極自身の抵抗等により、走査電極駆動回路４５から遠い領域ほど放電時の電圧降下が大きくなり、該当個所に実際に印加される電圧は低くなるため、放電の開始時期が遅れると共に、そのバラツキも大きくなり、結果としてほとんどすべての放電領域で書込み放電の発生する時期も遅くなる。遅れも大きくなる。
【００３４】
書込み放電は、ＰＤＰの高精細化に伴い、短期間で終了させた方が維持期間を長く取れるため輝度向上が期待できるなど、通常の維持電極対の長さが１ｍ前後〜２ｍ程度のパネルであれば、これらの理由より、走査電極駆動回路４５から遠い領域で、先に書込み放電が発生するように電圧印加のタイミングの順番を設定することが通常であった。
【００３５】
しかしながら、走査電極の長さが３ｍを越えるような超大型のパネルでは、これまでのフルハイビジョン（１０８０×１９２０画素）では表示が非常に粗く見えるため、更にその４倍程度以上の画素数を持つスペック（例えば、２１６０×３８４０画素や、２１６０×４０９６画素）でパネルを作成する必要があり、このため、書込み放電の数が非常に多くなり、また、電極の抵抗も、厚み、幅とも現在の材料プロセス技術では、通常サイズのパネル並に低下させることが困難なことから放電電流も増大するため、自己インダクタンス抵抗も増大し、以下のような不具合が発生する。
【００３６】
すなわち図５に、走査電極およびデータ電極の印加電位差波形と放電電流波形とを示すように、走査電極駆動回路４５からの距離が大きいデータ電極群の領域での書込み放電は、距離が小さい場合に比べ、放電による電圧降下が大きくなり、実質的な印加電圧が低下し、更に、印加電圧の立ち上がりが鈍るために実際の放電開始電圧（Ｖｆ）に達する時刻が大きくなる。
【００３７】
また、放電の安定性については、放電遅れ時間（統計遅れ）を考える。印加電圧を与えてから放電が開始するまでの時間のバラツキを放電遅れ時間の内の統計遅れと呼び、放電開始までの遅れ時間の逆数を正規分布にフィッティングして導出する放電安定性を示す目安で、数値が小さい程放電の安定性があると考える。一般に、放電遅れ時間の内、形成遅れと呼ばれる時間と合わせ、ほぼ確実に放電が完了するまでの時間を「（形成遅れ時間）＋（統計遅れ時間）×５：９９．９９％の確率の場合」と表現し、電圧印加の時間が前述した式で求めた時間よりも短い場合には、放電ミス、特に書込み放電の場合には書込みミス即ち表示ミスにつながり、表示特性に大きく関わるものである。
【００３８】
図６に統計遅れ時間と放電のための印加電位差の概略の関連をグラフ化したものを示す。これからも判るように、実際の電位差による統計遅れの差異は非常に大きく、更に、統計遅れの差が表示特性に非常に大きく影響する。
【００３９】
これらの対策として、一つには、電圧降下を小さくする対策が挙げられ、また別の一つとしては、電圧降下が起きてもそれ以上に電位差を維持できる対策を採ることが挙げられる。
【００４０】
ここで図５に対する説明において述べたように、走査電極引出部側から遠い側では電圧降下が大きく、電圧印加からの遅れ時間が大きくなるのに対して、電極引出部より近い側では比較的遅れ時間が小さくなるため、通常サイズのパネルのように遠い側より印加すると、先に放電する側が遅れ、後に放電する側が速いため、放電のタイミングの重なりが大きくなり、該当する走査電極に流れる総電流量のピーク値も大きくなり、スキャンドライバーの負荷が大きくなると共にピーク電流が大きくなるほど電圧降下が大きくなり、更に、遠い側の放電が遅れるという悪循環になり、結果として種々の電圧、例えば、図４中のＶｄやＶｅなどを上昇させることで対応せねばならなくなり、結果的に駆動マージンを減らす結果となる。
【００４１】
一方、逆に走査電極から近い側から放電させると、近い側は先に放電し遅れも小さく、遠い側は後で放電して遅れも大きいため、遠い側の放電完了までにかかる時間は更に大きくなる傾向があるものの、二つの放電の重なり合う部分が小さくなる方向になり、ピーク電流も小さくなり、結果的に電圧降下が非常に小さく収まり、安定した書込み放電を実現することができる。更に、この順序で電圧印加をすることにより、各データ電極群へのデータ電圧印加の時間差を短くしても、一本の書込み電流に流れる放電電流を小さくできるため、結果的に１ライン当たりの書込み時間を短くして高精細パネルに対応することも容易となる。
【００４２】
次に、電圧降下が起きても電位差を維持できる方法として、印加電圧を上昇させる方法が考えられる。具体的には、走査電圧を変更する方法が考えられるが、書込み放電によって蓄積された壁電荷が減少するなどの課題が想定されるため、そこで、データ電圧を上昇させる方法を考える。この際に、データ電圧を上昇させることで、書込み放電が強い放電になり、結果的に放電電流が増加することで電圧降下が大きくなる副作用も同時に併せ持つため、ここでは、走査電極引出部より近い側は書込み放電が確実に発生できる比較的低い電圧を印加し、遠くなるに従ってデータ電圧を大きくすることで、途中での電圧降下を最小限に押さえつつ引出部より遠い場所においても大きな遅れなく安定した書込み放電を実現することができる。
【００４３】
この際、場所による書込み放電の遅れの差がそれほど大きくないため、走査電極より遠い側で先にデータ電圧を印加しても、前述したような、放電の重なり合う部分が極端に大きくなることがないため、走査電極引出部から遠い方より先にデータ電圧を印加する駆動であっても問題ない。
【００４４】
また、走査電極引出部から遠い側に印加するデータ電圧の近い側のデータ電圧との差が比較的小さい場合には、放電遅れ時間を近い側より小さくすることが困難であるため、走査電極引出部から遠い側から先にデータ電圧を印加する方が更に望ましいと考える。
【００４５】
以上、本発明の一実施の形態によるプラズマディスプレイ装置においては、データ電極数をそれぞれｋ本とｍ本とした２つのデータ電極群に分けて駆動する構成を説明したが、これは実施の形態の一例を示したに過ぎず、なんらこの構成に限定するものではなく、データ電極数を同数にする或いは、データ電極群を３つ以上とする構成としてもよい。これらの場合にも、データ電圧印加のタイミングは、走査電極引出部に近いデータ電極群から先に順次印加していく事で対応できる。
【００４６】
また、データ電圧に関しては、走査電極引出部に近いデータ電極群の方が高いデータ電圧を印加することで対応できる。具体的なタイミングや電圧の分布については、各パネルの画素の大きさなど、設計事項に大きく依存する、容量や電極抵抗などに依存して変化するため、適宜最適化する必要がある。
【００４７】
以上、本発明によれば、ＰＤＰが大型化してライン抵抗が大きくなり、放電面積も大きくなっても、データ電極を、少なくとも２つのデータ電極群に分けて、駆動を走査電極に近い側から先に順次行うと共に走査電極と遠い側のデータ電圧を上げることにより安定な書込み放電が実現でき、その結果、特殊なスキャンドライバーを使用することなく、通常の電流容量を持ったドライバー類を用いて、確実に安定して書込み放電を行うことが可能となり、もって、表示ミスの少なく安定した表示が可能な大型のプラズマディスプレイ装置を提供することができる。
【産業上の利用可能性】
【００４８】
以上のように本発明は、大型化、高精細化に適するＰＤＰ表示装置を提供する上で有用な発明である。
【図面の簡単な説明】
【００４９】
【図１】本発明の実施の形態に関わる交流面放電型ＰＤＰを示す部分斜視図
【図２】同プラズマディスプレイ装置のＰＤＰの電極配列図
【図３】同プラズマディスプレイ装置の構成を示す回路ブロック図
【図４】同プラズマディスプレイ装置のＰＤＰの各電極への駆動電圧波形を示す図
【図５】走査電極およびデータ電極の印加電位差波形および放電電流波形の模式図
【図６】印加電位差と放電遅れ時間との関係を示した模式図
【符号の説明】
【００５０】
ＰＡ１  前面パネル
ＰＡ２  背面パネル
１１  前面ガラス基板
１１ａ  表面
１２ａ  走査電極
１２ｂ  維持電極
１３  誘電体ガラス層
１４  保護膜（ＭｇＯ膜）
１６  背面ガラス基板
１７  データ電極
１８  電極保護膜
１９  隔壁
２０  蛍光体層
３０  放電空間
４１  ＡＤコンバータ
４２  映像信号処理回路
４３  サブフィールド処理回路
４４  データ電極駆動回路
４５  走査電極駆動回路
４６  維持電極駆動回路
５０  ＰＤＰ
【図１】
2010107634.tif 000003
【図２】
2010107634.tif 000004
【図３】
2010107634.tif 000005
【図４】
2010107634.tif 000006
【図５】
2010107634.tif 000007
【図６】
2010107634.tif 000008